(57)【要約】【課題】カップ式自動販売機に搭載するのに適した製氷機に関し、水の微凍結による噴射ポンプ詰まりを防止する製氷機の制御方法および制御装置を提供する。【解決手段】演算制御部７ａは、製氷部温度が水が微凍結となり噴射ポンプに詰まる状態時の温度に達した場合、製氷部に水を噴射することを一時停止し、製氷部温度が製氷部に水を噴射しても製氷可能な状態の温度に達するまで製氷部を十分に冷却し、その後、製氷部に水を噴射し製氷させることで、水の微凍結の生成をなくし、噴射ポンプ詰まりを防止する。【選択図】　図２
2004012089.tif 000002
【特許請求の範囲】
【請求項１】
冷却装置により冷却される製氷部に噴射ポンプからの水を噴射して製氷を行わせる製氷機において、前記冷却装置の動作中に前記噴射ポンプを動作させることにより水を噴射して製氷を開始し、その後水の微凍結温度に至ると前記噴射ポンプを停止し、その後水の微凍結温度を通過して確実に着氷できる温度に至ると再び前記噴射ポンプを動作させて水を噴射し製氷を完了させる製氷機の制御方法。
【請求項２】
冷却装置と前記冷却装置により冷却される製氷部と製氷用水を貯える製氷用水タンクと前記製氷部に前記製氷用水タンクから水を噴射する噴射ポンプからなる製氷機において、前記冷却装置を制御する冷却装置制御手段と、前記製氷部の温度を検知する製氷部温度検知手段と、前記噴射ポンプを制御する噴射ポンプ制御手段と、水が微凍結となり前記噴射ポンプに詰まる状態時の製氷部温度を記憶している噴射ポンプ停止温度記憶手段と、前記製氷部に水を噴射しても確実に着氷できる状態時の製氷部温度を記憶している噴射ポンプ動作温度記憶手段と、前記冷却装置制御手段と前記製氷部温度検知手段と前記噴射ポンプ制御手段と前記噴射ポンプ停止温度記憶手段と前記噴射ポンプ動作温度記憶手段に接続された演算制御部とからなり、前記演算制御部は、前記冷却装置制御手段にて前記製氷部の冷却を開始し、前記噴射ポンプ制御手段にて前記噴射ポンプを動作し、その後、前記製氷部温度検知手段にて検知される温度が前記噴射ポンプ停止温度記憶手段に記憶されている温度に達した場合、前記噴射ポンプ制御手段にて前記噴射ポンプを停止し、その後、前記製氷部温度検知手段にて検知される温度が前記噴射ポンプ動作温度記憶手段に記憶されている温度に達した場合、製氷終了まで前記噴射ポンプ制御手段にて前記噴射ポンプを動作することを特徴とする製氷機の制御装置。
【請求項３】
噴射ポンプの間欠時間をカウントする間欠時間タイマーを備え、演算制御部は、製氷部温度検知手段にて検知される温度が噴射ポンプ停止温度記憶手段に記憶されている温度に達した場合、噴射ポンプ制御手段と前記間欠時間タイマーにて噴射ポンプを間欠運転する請求項２に記載の製氷機の制御装置。
【請求項４】
外気温度を検知する外気温度検知手段と、各外気温度別に噴射ポンプ停止温度記憶手段と噴射ポンプ動作温度記憶手段に記憶されている温度データを変更する補正データを記憶している補正データ記憶手段と、前記外気温検知手段にて検知される温度に該当する前記補正データ記憶手段の補正データにて前記噴射ポンプ停止温度記憶手段と前記噴射ポンプ動作温度記憶手段に記憶されている温度データを補正する演算手段を備え、演算制御部は、前記噴射ポンプ停止温度記憶手段に記憶されている温度を前記演算手段にて補正して、前記噴射ポンプ停止温度記憶手段に記憶し、前記噴射ポンプ動作温度記憶手段に記憶されている温度を前記演算手段にて補正して、前記噴射ポンプ動作温度記憶手段に記憶する請求項２または３に記載の製氷機の制御装置。
【請求項５】
補正データ記憶手段の補正データを変更する補正データ設定手段を備え、演算制御部は、前記補正データ設定手段にて入力された補正データを前記補正データ記憶手段に記憶する請求項４に記載の製氷機の制御装置。
【請求項６】
冷却装置と前記冷却装置により冷却される製氷部と製氷用水を貯える製氷用水タンクと前記製氷部に前記製氷用水タンクから水を噴射する噴射ポンプからなる製氷機において、前記冷却装置を制御する冷却装置制御手段と、前記製氷用水タンク内の水温度を検知する水温度検知手段と、前記噴射ポンプを制御する噴射ポンプ制御手段と、前記冷却装置制御手段と前記水温度検知手段と前記噴射ポンプ制御手段に接続された演算制御部とからなり、前記演算制御部は、前記冷却装置制御手段にて前記製氷部の冷却を開始し、前記噴射ポンプ制御手段にて前記噴射ポンプを動作し、その後、製氷終了まで前記水温度検知手段にて検知される温度が０℃に達した場合、前記噴射ポンプ制御手段にて前記噴射ポンプを一時停止することを特徴とする製氷機の制御装置
【請求項７】
噴射ポンプの停止時間をカウントする停止時間タイマーを備え、演算制御部は、水温度検知手段にて検知される温度が０℃に達した場合、噴射ポンプ制御手段にて前記噴射ポンプを前記停止時間タイマーにてカウントされる停止時間が経過するまで停止する請求項６に記載の製氷機の制御装置。
【請求項８】
製氷部に水を噴射したら着氷しにくくなる水温度を記憶している水温度記憶手段を備え、演算制御部は、水温度検知手段にて検知される温度が前記水温度記憶手段に記憶されている温度に達した場合、噴射ポンプ制御手段にて前記噴射ポンプを動作する請求項６に記載の製氷機の制御装置。
【発明の詳細な説明】
【０００１】
【発明の属する技術分野】
本発明は、製氷機に関するものであり、特にカップ式自動販売機に搭載するのに適した製氷機に関するものである。
【０００２】
【従来の技術】
従来の製氷機しては、セル式と称される製氷機がある。例えば実公平５−３７１７５号公報に開示されたものであり、凹状の製氷室を複数備えた製氷部と、製氷用水タンクによって構成されている。そして製氷部は凹状の製氷室が下向きに開放される様に設置される。一方、製氷部は動力によって製氷位置と離氷位置に姿勢変更可能となっている。そして製氷時には、製氷部を製氷位置にし、冷却装置により冷却する。この状態において、製氷用水タンクから凹状の製氷部に水を噴射し、水を凍らせ、凍らなかった水は製氷用水タンクに戻る。製氷部に氷ができると、動力によって製氷部を離氷位置にすると共に離氷し、氷を排出する。
【０００３】
以下、図面を参照しながら従来の製氷機の制御装置を説明する。
【０００４】
図１６は、従来の製氷機の制御装置の機能ブロック図である。図１７は、従来の製氷機の制御装置の動作を示すフローチャートである。
【０００５】
図１６において、１０１は製氷部を冷却する冷却装置を制御する冷却装置制御手段、１０２は製氷部の温度を検知する製氷部温度検知手段、１０３は製氷用水タンクに水を給水する給水ポンプを制御する給水ポンプ制御手段、１０４は製氷用水タンクの満水を検知する満水検知手段、１０５は製氷用水タンクの水切れを検知する水切れ検知手段、１０６は噴射ポンプを制御する噴射ポンプ制御手段、１０７は製氷部を移動させる製氷部駆動手段、１０８は製氷部が製氷位置にあるかを検知する製氷部製氷位置検知手段、１０９は製氷部が離氷位置にあるかを検知する製氷部離氷位置検知手段、１１０は製氷部を加熱し離氷するヒーターを制御するヒーター制御手段、１１１は離氷が終了する状態時の製氷部温度を記憶しているヒーター停止温度記憶手段、１１２は製氷部製氷位置検知手段１０８にて製氷部製氷位置を検知するまで製氷部駆動制御手段１０７にて製氷部を移動し、満水検知手段１０４にて満水を検知するまで給水ポンプ制御手段１０３にて給水ポンプを動作し、水切れ検知手段１０５にて水切れを検知するまで冷却装置制御手段１０１にて製氷部を冷却し、また噴射ポンプ制御手段１０６にて噴射ポンプを動作し、その後、製氷部離氷位置検知手段１０９にて製氷部離氷位置を検知するまで製氷部駆動制御手段１０７にて製氷部を移動し、ヒーター停止温度記憶手段１１１に記憶されている温度に達するまでヒーター制御手段１１０にてヒーターを動作する演算制御部である。
【０００６】
以上のように構成された製氷機の制御装置において、以下その動作を図１７のフローチャートをもとにして説明する。
【０００７】
まず、ＳＴＥＰ２０１では演算制御部１１２は、製氷部製氷位置検知手段１０８にて製氷部が製氷位置か否かを判定し、製氷位置の場合、ＳＴＥＰ２０３で満水判定を行ない、それ以外はＳＴＥＰ２０２を実行する。ＳＴＥＰ２０２では製氷部製氷位置検知手段１０８にて製氷部製氷位置を検知するまで製氷部駆動制御手段１０７にて製氷部を駆動し、製氷部を製氷部製氷位置に移動する。
【０００８】
ＳＴＥＰ２０３では満水検知手段１０４にて製氷用水タンクの水が満水か否かを判定し、満水の場合、ＳＴＥＰ２０５を実行し、それ以外はＳＴＥＰ２０４を実行する。ＳＴＥＰ２０４では満水検知手段１０４にて満水を検知するまで給水ポンプ制御手段１０３にて給水ポンプを動作し、製氷用水タンクに水を給水する。ＳＴＥＰ２０５では、冷却装置制御手段１０１にて冷却装置を動作し、製氷部を冷却する。また噴射ポンプ制御手段１０６にて噴射ポンプを動作し、冷却装置制御手段１０１にて冷却されている製氷部に水を噴射する。冷却されている製氷部に水を噴射することで、製氷部に氷を製氷するこができる。
【０００９】
ＳＴＥＰ２０６では、水切れ検知手段１０５にて水切れか否かを判定し、水切れの場合、製氷が終了したと判断しＳＴＥＰ２０７を実行し、それ以外は製氷が終了していないとして、現状を維持する。ＳＴＥＰ２０７では冷却装置制御手段１０１にて冷却装置を停止する。また噴射ポンプ制御手段１０６にて噴射ポンプを停止する。ＳＴＥＰ２０８では製氷部離氷位置検知手段１０９にて製氷部離氷位置を検知するまで製氷部駆動制御手段１０７にて製氷部を駆動し、製氷部を製氷部離氷位置に移動する。また、ヒーター制御手段１１０にてヒーターを動作させ、製氷部を加熱する。
【００１０】
ＳＴＥＰ２０９では製氷部温度検知手段１０２にて、ヒーター停止温度記憶手段１１１に記憶されている温度に達したか否かを判定し、達した場合、製氷部から氷が完全に離氷したと判断しＳＴＥＰ２１０を実行し、それ以外は離氷が終了していないとして、現状を維持する。ヒーター制御手段１１０にてヒーターを停止する（ＳＴＥＰ２１０）。
【００１１】
これにより、透明度が高く、見栄えのよい氷を製氷することができる。
【００１２】
【発明が解決しようとする課題】
しかしながら、上記従来の製氷機は、カップ式自動販売機に搭載した場合、設置スペースが限られるため小型にする必要性が生じ、それにより冷却能力が下がり、また、カップ式自動販売機独特の温水の熱影響を受け、さらに冷却能力が下がるため、水を一瞬にして氷に製氷するに十分な冷却能力を製氷部が得ることができず、水温度が０度近傍の温度にて製氷部に噴射された場合、氷核が形成されにくい所謂水の過冷却現象がしばしば生じ、水の氷点である０℃以下の温度でありながら凍結しない過冷却水の状態で存在することになる。
【００１３】
このため、製氷部で着氷することができず、製氷用水タンクに戻る過程において、過冷却水に対する何らかの衝撃や水流の変化などによって内部発生的に氷核が形成されると過冷却の状態が破れて熱的な平衡をとるために一気に凍結潜熱が奪われて無数の微細な氷が発生し、製氷用水タンクにて所謂スラリー状の微凍結状態となり、その微凍結状態の水が噴射ポンプに入り込み、噴射ポンプの詰まりが発生するという欠点があった。
【００１４】
本発明は従来の課題を解決するもので、製氷部温度が、噴射ポンプ停止温度記憶手段に記憶されている、水が微凍結となり噴射ポンプに詰まる状態時の温度に達した場合、水を噴射することを一時停止することで水の微凍結を防止し、かつ製氷部に水を噴射しないことで製氷部の負荷を低減させ、製氷部を十分に冷却し、製氷部温度が、噴射ポンプ動作温度記憶手段に記憶されている、製氷部に水を噴射しても確実に着氷できる状態時の温度に達した場合、製氷部に水を噴射することで確実に水を着氷させることで、水の微凍結を防止する製氷機の制御方法および制御装置を提供することを目的とする。
【００１５】
【課題を解決するための手段】
本発明の請求項１に記載の発明は、冷却装置により冷却される製氷部に噴射ポンプからの水を噴射して製氷を行わせる製氷機において、前記冷却装置の動作中に前記噴射ポンプを動作させることにより水を噴射して製氷を開始し、その後水の微凍結温度に至ると前記噴射ポンプを停止し、その後水の微凍結温度を通過して確実に着氷できる温度に至ると再び前記噴射ポンプを動作させて水を噴射し製氷を完了させる製氷機の制御方法であり、水を噴射することを一時停止することで水の微凍結を防止し、その後製氷部に水を噴射しないことで製氷部を十分に冷却にし、確実に着氷できる温度に達した後、再び製氷部に水を噴射することで噴射ポンプに微凍結水の詰まりがない確実な製氷を行なわせるという作用を有する。
【００１６】
本発明の請求項２に記載の発明は、冷却装置と冷却装置により冷却される製氷部と製氷用水を貯える製氷用水タンクと製氷部に製氷用水タンクから水を噴射する噴射ポンプからなる製氷機において、冷却装置を制御する冷却装置制御手段と、製氷部の温度を検知する製氷部温度検知手段と、噴射ポンプを制御する噴射ポンプ制御手段と、水が微凍結となり噴射ポンプに詰まる状態時の製氷部温度を記憶している噴射ポンプ停止温度記憶手段と、製氷部に水を噴射しても確実に着氷できる状態時の製氷部温度を記憶している噴射ポンプ動作温度記憶手段と、冷却装置制御手段と製氷部温度検知手段と噴射ポンプ制御手段と噴射ポンプ停止温度記憶手段と噴射ポンプ動作温度記憶手段に接続された演算制御部とからなり、演算制御部は、冷却装置制御手段にて製氷部の冷却を開始し、噴射ポンプ制御手段にて噴射ポンプを動作し、その後、製氷部温度検知手段にて検知される温度が噴射ポンプ停止温度記憶手段に記憶されている温度に達した場合、噴射ポンプ制御手段にて噴射ポンプを停止し、その後、製氷部温度検知手段にて検知される温度が噴射ポンプ動作温度記憶手段に記憶されている温度に達した場合、製氷終了まで記噴射ポンプ制御手段にて噴射ポンプを動作することにより、製氷部温度が、噴射ポンプ停止温度記憶手段に記憶されている、水が微凍結となり噴射ポンプに詰まる状態時の温度に達した場合、水を噴射することを一時停止することで水の微凍結を防止し、かつ製氷部に水を噴射しないことで製氷部の負荷を低減させ、製氷部を十分に冷却し、製氷部温度が、噴射ポンプ動作温度記憶手段に記憶されている、製氷部に水を噴射しても確実に着氷できる状態時の温度に達した場合、製氷部に水を噴射することで確実に水を着氷させることで、水の微凍結を防止するという作用を有する。
【００１７】
請求項３に記載の発明は、請求項２に記載の発明に、噴射ポンプの間欠時間をカウントする間欠時間タイマーを備え、演算制御部は、製氷部温度検知手段にて検知される温度が噴射ポンプ停止温度記憶手段に記憶されている温度に達した場合、噴射ポンプ制御手段と間欠時間タイマーにて噴射ポンプを間欠運転することにより、噴射ポンプ停止温度記憶手段に記憶されている、水が微凍結となり噴射ポンプに詰まる状態時の温度に達した場合、製氷部の冷却能力に応じた水量を間欠的に噴射することで、水の微凍結を防止し、かつ製氷部に水を間欠的に噴射することで、水を定期的に冷却することができ、周辺装置の熱影響により、水温が上昇することを防止するという作用を有する。
【００１８】
請求項４に記載の発明は、請求項２または３に記載の発明に、外気温度を検知する外気温度検知手段と、各外気温度別に噴射ポンプ停止温度記憶手段と噴射ポンプ動作温度記憶手段に記憶されている温度データを変更する補正データを記憶している補正データ記憶手段と、外気温検知手段にて検知される温度に該当する補正データ記憶手段の補正データにて噴射ポンプ停止温度記憶手段と噴射ポンプ動作温度記憶手段に記憶されている温度データを補正する演算手段を備え、演算制御部は、噴射ポンプ停止温度記憶手段に記憶されている温度を演算手段にて補正して、噴射ポンプ停止温度記憶手段に記憶し、噴射ポンプ動作温度記憶手段に記憶されている温度を演算手段にて補正して、噴射ポンプ動作温度記憶手段に記憶することにより、外気温により水温度と製氷部温度が変化することを考慮して、噴射ポンプ停止温度記憶手段に記憶されている水が微凍結となり噴射ポンプに詰まる状態時の温度と、噴射ポンプ動作温度記憶手段に記憶されている製氷部に水を噴射しても確実に着氷できる状態時の温度を補正することにより、低外気温時、水温度が低く、早く微凍結となることを考慮して、噴射ポンプ停止温度記憶手段に記憶されている温度を高目の温度に補正することで、微凍結になることを防止でき、また高外気温時、水温度が上昇しやすく、製氷部に噴射しても着氷しにくいので、噴射ポンプ動作温度記憶手段に記憶されている温度を低めの温度に補正することで、製氷部が十分に冷却される期間を増やし、製氷部に水温度の高い水を噴射しても着氷できるようにするという作用を有する。
【００１９】
請求項５に記載の発明は、請求項４に記載の発明に、補正データ記憶手段の補正データを変更する補正データ設定手段を備え、演算制御部は、補正データ設定手段にて入力された補正データを補正データ記憶手段に記憶することにより、外気温により噴射ポンプの停止と動作を判定する温度データを補正しても、設置先の特殊環境により、水が微凍結したり、着氷しにくくなる状態が発生してしまう場合、さらに補正データを任意に変更することにより、設置先の環境にあわせて噴射ポンプ停止温度記憶手段に記憶されている、水が微凍結となり噴射ポンプに詰まる状態時の温度と噴射ポンプ動作温度記憶手段に記憶されている、製氷部に水を噴射しても確実に着氷できる状態時の温度を補正することができ、さらなる水が微凍結したり、着氷しにくくなることを防止するという作用を有する。
【００２０】
請求項６に記載の発明は、冷却装置を制御する冷却装置制御手段と、製氷用水タンク内の水温度を検知する水温度検知手段と、噴射ポンプを制御する噴射ポンプ制御手段と、冷却装置制御手段と水温度検知手段と噴射ポンプ制御手段に接続された演算制御部とからなり、演算制御部は、冷却装置制御手段にて製氷部の冷却を開始し、噴射ポンプ制御手段にて噴射ポンプを動作し、その後、製氷終了まで水温度検知手段にて検知される温度が０℃に達した場合、噴射ポンプ制御手段にて噴射ポンプを一時停止することにより、噴射ポンプの一時停止を、水温度にて判断することにより、水の微凍結を正しく把握でき、より確実な噴射ポンプ詰まりを防止するという作用を有する。
【００２１】
請求項７に記載の発明は、請求項６に記載の発明に、噴射ポンプの停止時間をカウントする停止時間タイマーを備え、演算制御部は、水温度検知手段にて検知される温度が０℃に達した場合、噴射ポンプ制御手段にて噴射ポンプを停止時間タイマーにてカウントされる停止時間が経過するまで停止することにより、水を噴射することを一定時間は停止することで水の微凍結を防止し、かつ停止時間が経過するまでは製氷部に水を噴射しないことで製氷部の負荷を低減させ、製氷部を十分に冷却し、その後、製氷部に水を噴射することで確実に水を着氷させることで、水の微凍結を防止するという作用を有する。
【００２２】
請求項８に記載の発明は、請求項６に記載の発明に、製氷部に水を噴射したら着氷しにくくなる水温度を記憶している水温度記憶手段を備え、演算制御部は、水温度検知手段にて検知される温度が水温度記憶手段に記憶されている温度に達した場合、噴射ポンプ制御手段にて噴射ポンプを動作することにより、製氷部に噴射しても着氷しにくくなる温度まで水温が上昇するまでに、製氷部に水を噴射することで確実に水を着氷させることで、水の微凍結を防止するという作用を有する。
【００２３】
【発明の実施の形態】
以下、本発明による製氷機の制御方法および制御装置の実施の形態について、図面を参照しながら説明する。
【００２４】
（実施の形態１）
図１は、本発明の実施の形態１による製氷機の制御装置の機能ブロック図である。図２は、同実施の形態の動作を示すフローチャートである。図３は、同実施の形態の製氷部温度の変遷図である。
【００２５】
図１において、１は冷却装置を制御する冷却装置制御手段、２は製氷部の温度を検知する製氷部温度検知手段、３は製氷用水タンクの水切れを検知する水切れ検知手段、４は噴射ポンプを制御する噴射ポンプ制御手段、５は水が微凍結となり噴射ポンプに詰まる状態時の製氷部温度を記憶している噴射ポンプ停止温度記憶手段、６は製氷部に水を噴射しても確実に着氷できる状態時の製氷部温度を記憶している噴射ポンプ動作温度記憶手段、７ａは冷却装置制御手段１にて製氷部の冷却を開始し、噴射ポンプ制御手段４にて噴射ポンプを動作し、その後、製氷部温度検知手段２にて検知される温度が噴射ポンプ停止温度記憶手段５に記憶されている温度に達した場合、噴射ポンプ制御手段４にて噴射ポンプを停止し、その後、製氷部温度検知手段２にて検知される温度が噴射ポンプ動作温度記憶手段６に記憶されている温度に達した場合、噴射ポンプ制御手段４にて噴射ポンプを動作し、その後、水切れ検知手段３にて水切れを検知した場合、冷却装置制御手段１にて製氷部の冷却を停止し、噴射ポンプ制御手段４にて噴射ポンプを停止し、製氷を終了する演算制御部である。
【００２６】
以上のように構成された製氷機の制御装置について、以下その動作を図２のフローチャートをもとにして説明する。
【００２７】
まず、ＳＴＥＰ１では演算制御部７ａは、冷却装置制御手段１にて冷却装置を動作し、製氷部を冷却する。また噴射ポンプ制御手段４にて噴射ポンプを動作し、冷却装置制御手段１にて冷却されている製氷部に水を噴射する。ＳＴＥＰ２では製氷部温度検知手段２にて、噴射ポンプ停止温度記憶手段５に記憶されている温度に達したか否かを判定し、達した場合、水が微凍結状態になると判断しＳＴＥＰ３を実行し、それ以外は水が微凍結状態でないとして、現状を維持する。ＳＴＥＰ３では噴射ポンプ制御手段４にて噴射ポンプを停止し、製氷部に水を噴射しないことで、製氷部の負荷を低減し、製氷部を十分に冷却させる。
【００２８】
ＳＴＥＰ４では製氷部温度検知手段２にて、噴射ポンプ動作温度記憶手段６に記憶されている温度に達したか否かを判定し、達した場合、製氷部に水を噴射しても確実に着氷可能であると判断しＳＴＥＰ５を実行し、それ以外は製氷部に水を噴射しても水が微凍結状態になると判断し、現状を維持する。ＳＴＥＰ５では噴射ポンプ制御手段４にて噴射ポンプを動作し、十分に冷却された製氷部に水を噴射することで、製氷を行なう。十分に冷却されている製氷部に水を噴射することで、噴射面で直ちに氷核が生成され、微凍結の状態を起こさず製氷部に確実に水を着氷するこができる。
【００２９】
ＳＴＥＰ６では水切れ検知手段３にて製氷用水切れか否かを判定し、水切れの場合、製氷が終了したと判断しＳＴＥＰ７を実行し、それ以外は製氷が終了していないとして、現状を維持する。ＳＴＥＰ７では冷却装置制御手段１にて冷却装置を停止する。また噴射ポンプ制御手段４にて噴射ポンプを停止する。
【００３０】
要するに、図３に示すとおり、製氷部温度が０℃付近に近づいたときには、噴射ポンプを一旦停止させて、微凍結した水が噴射ポンプに詰まる状態を避けて（ＳＴＥＰ３）、製氷部を十分に冷却させる動作を行う（ＳＴＥＰ４）。その後、製氷部に水を噴射させても確実に着氷できる温度まで冷却し、噴射ポンプの動作を再開させるものである（ＳＴＥＰ５）。
【００３１】
以上のように本実施の形態の製氷機の制御装置は、冷却装置を制御する冷却装置制御手段１と、製氷部の温度を検知する製氷部温度検知手段２と、製氷用水タンクの水切れを検知する水切れ検知手段３と、噴射ポンプを制御する噴射ポンプ制御手段４と、水が微凍結となり噴射ポンプに詰まる状態時の製氷部温度を記憶している噴射ポンプ停止温度記憶手段５と、製氷部に水を噴射しても確実に着氷できる状態時の製氷部温度を記憶している噴射ポンプ動作温度記憶手段６と、冷却装置制御手段１と製氷部温度検知手段２と水切れ検知手段３と噴射ポンプ制御手段４と噴射ポンプ停止温度記憶手段５と噴射ポンプ動作温度記憶手段６に接続された演算制御部７ａとからなり、演算制御部７ａは、冷却装置制御手段１にて製氷部の冷却を開始し、噴射ポンプ制御手段４にて噴射ポンプを動作し、その後、製氷部温度検知手段２にて検知される温度が噴射ポンプ停止温度記憶手段５に記憶されている温度に達した場合、噴射ポンプ制御手段４にて噴射ポンプを停止し、その後、製氷部温度検知手段２にて検知される温度が噴射ポンプ動作温度記憶手段６に記憶されている温度に達した場合、噴射ポンプ制御手段４にて噴射ポンプを動作し、その後、水切れ検知手段３にて水切れを検知した場合、冷却装置制御手段１にて製氷部の冷却を停止し、噴射ポンプ制御手段４にて噴射ポンプを停止することにより、製氷部温度が、噴射ポンプ停止温度記憶手段５に記憶されている、水が微凍結となり噴射ポンプに詰まる状態時の温度に達した場合、水を噴射することを一時停止することで水の微凍結を防止し、かつ製氷部に水をを噴射しないことで製氷部の負荷を低減させ、製氷部を十分に冷却し、製氷部温度が、噴射ポンプ動作温度記憶手段６に記憶されている、製氷部に水を噴射しても確実に着氷できる状態時の温度に達した場合、製氷部に水を噴射することで確実に水を着氷させることで、水の微凍結の発生を防止することができる。
【００３２】
（実施の形態２）
図４は、本発明の実施の形態２による製氷機の制御装置の機能ブロック図である。図５は、同実施の形態の動作を示すフローチャートである。
【００３３】
図４において、８は噴射ポンプの間欠時間をカウントする間欠時間タイマー、７ｂは製氷部温度検知手段２にて検知される温度が噴射ポンプ停止温度記憶手段５に記憶されている温度に達した場合、噴射ポンプ制御手段４と間欠時間タイマー８にて噴射ポンプを間欠運転する演算制御部である。
【００３４】
本実施の形態は、実施の形態１による製氷機の制御装置にさらに、間欠時間タイマー８を設けたものである。
【００３５】
以上のように構成された製氷機の制御装置について、以下その動作を図５のフローチャートをもとにして説明する。また、実施の形態１による製氷機の制御装置の演算制御部７ａと同じ動作に関しては説明を省略する。
【００３６】
まず、演算制御部７ｂによるＳＴＥＰ８からＳＴＥＰ１０までの制御フローは実施の形態１のＳＴＥＰ１からＳＴＥＰ３と同様である。
【００３７】
ＳＴＥＰ１１では製氷部温度検知手段２にて、噴射ポンプ動作温度記憶手段６に記憶されている温度に達したか否かを判定し、達した場合、製氷部に水を噴射しても確実に着氷可能であると判断しＳＴＥＰ１４を実行し、それ以外は製氷部に水を噴射しても水が微凍結状態になると判断し、ＳＴＥＰ１２を実行する。ＳＴＥＰ１２では間欠時間タイマー８にて間欠時間が経過したか否かを判定し、経過した場合、ＳＴＥＰ１３を実行し、それ以外はＳＴＥＰ１１を実行する。
【００３８】
ＳＴＥＰ１３では噴射ポンプ制御手段４にて、噴射ポンプが動作の場合は停止、停止の場合は動作にすることにより、間欠時間毎の噴射ポンプの間欠運転を行なうことで、製氷部の冷却能力に応じた水量を間欠的に噴射することができ、水の微凍結を防止し、かつ製氷部に水を間欠的に噴射することで、水を定期的に冷却することができ、周辺装置の熱影響により、製氷部に噴射しても着氷しにくくなる温度まで水温が上昇することを防止する。
【００３９】
ＳＴＥＰ１４からＳＴＥＰ１６までは実施の形態１のＳＴＥＰ５からＳＴＥＰ７と同様である。
【００４０】
以上のように本実施の形態の製氷機の制御装置は、噴射ポンプの間欠時間をカウントする間欠時間タイマー８を設け、演算制御部７ｂは、製氷部温度検知手段２にて検知される温度が噴射ポンプ停止温度記憶手段５に記憶されている温度に達した場合、噴射ポンプ制御手段４と間欠時間タイマー８にて噴射ポンプを間欠運転することにより、噴射ポンプ停止温度記憶手段５に記憶されている、水が微凍結となり噴射ポンプに詰まる状態時の温度に達した場合、製氷部の冷却能力に応じた水量を間欠的に噴射することで、水の微凍結を防止し、かつ製氷部に水を間欠的に噴射することで、水を定期的に冷却することができ、周辺装置の熱影響により、水温が上昇することを防止することができる。
【００４１】
（実施の形態３）
図６は、本発明の実施の形態３よる製氷機の制御装置の機能ブロック図である。図７は、同実施の形態の動作を示すフローチャートである。
【００４２】
図６において、９は外気温度を検知する外気温度検知手段、１０は各外気温度別に噴射ポンプ停止温度記憶手段５と噴射ポンプ動作温度記憶手段６に記憶されている温度データを変更する補正データを記憶している補正データ記憶手段、１１は外気温検知手段９にて検知される温度に該当する補正データ記憶手段１０の補正データにて噴射ポンプ停止温度記憶手段５と噴射ポンプ動作温度記憶手段６に記憶されている温度データを補正する演算手段、７ｃは噴射ポンプ停止温度記憶手段５に記憶されている温度を演算手段１１にて補正して、噴射ポンプ停止温度記憶手段５に記憶し、噴射ポンプ動作温度記憶手段６に記憶されている温度を演算手段１１にて補正して、噴射ポンプ動作温度記憶手段６に記憶する演算制御部である。
【００４３】
本実施の形態は、実施の形態２による製氷機の制御装置にさらに、外気温度検知手段９と補正データ記憶手段１０と演算手段１１を設けたものである。
【００４４】
以上のように構成された製氷機の制御装置について、以下その動作を図７のフローチャートをもとにして説明する。また、実施の形態２による製氷機の制御装置の演算制御部７ｂと同じ動作に関しては説明を省略する。
【００４５】
まず、演算制御部７ｃによるＳＴＥＰ１７は実施の形態２のＳＴＥＰ８と同様である。
【００４６】
ＳＴＥＰ１８では外気温度検知手段９にて検知した外気温を用いて、補正データ記憶手段１０に記憶されている該当する補正データを算出する。その補正データにて噴射ポンプ停止温度記憶手段５に記憶されている温度データを補正し、噴射ポンプ停止温度記憶手段５に記憶する。
【００４７】
ＳＴＥＰ１９では製氷部温度検知手段２にて、噴射ポンプ停止温度記憶手段５に記憶されている温度に達したか否かを判定し、達した場合、水が微凍結状態になると判断し、噴射ポンプを停止（ＳＴＥＰ２０）し、それ以外は水が微凍結状態でないとして、ＳＴＥＰ１８を実行する。
【００４８】
ＳＴＥＰ２１では外気温度検知手段９にて検知した外気温を用いて、補正データ記憶手段１０に記憶されている該当する補正データを算出する。その補正データにて噴射ポンプ動作温度記憶手段６に記憶されている温度データを補正し、噴射ポンプ動作温度記憶手段６に記憶する。ＳＴＥＰ２２では製氷部温度検知手段２にて、噴射ポンプ動作温度記憶手段６に記憶されている温度に達したか否かを判定し、達した場合、製氷部に水を噴射しても確実に着氷可能であると判断し噴射ポンプの動作（ＳＴＥＰ２５）を行ない、それ以外は製氷部に水を噴射しても水が微凍結状態になると判断し、ＳＴＥＰ２３を実行する。
【００４９】
ＳＴＥＰ２３では間欠時間タイマー８にて間欠時間が経過したか否かを判定し、経過した場合、噴射ポンプの動作を反転（ＳＴＥＰ２４）を実行し、それ以外はＳＴＥＰ２１を実行する。
【００５０】
ＳＴＥＰ２４からＳＴＥＰ２７までの動作は実施の形態２のＳＴＥＰ１３からＳＴＥＰ１６と同様である（ＳＴＥＰ２４〜２７）。
【００５１】
以上のように本実施の形態の製氷機の制御装置は、外気温度を検知する外気温度検知手段９と、各外気温度別に噴射ポンプ停止温度記憶手段５と噴射ポンプ動作温度記憶手段６に記憶されている温度データを変更する補正データを記憶している補正データ記憶手段１０と、外気温検知手段９にて検知される温度に該当する補正データ記憶手段１０の補正データにて噴射ポンプ停止温度記憶手段５と噴射ポンプ動作温度記憶手段６に記憶されている温度データを補正する演算手段１１を備え、演算制御部７ｃは、噴射ポンプ停止温度記憶手段５に記憶されている温度を演算手段１１にて補正して、噴射ポンプ停止温度記憶手段５に記憶し、噴射ポンプ動作温度記憶手段６に記憶されている温度を演算手段１１にて補正して、噴射ポンプ動作温度記憶手段６に記憶することにより、外気温により水温度と製氷部温度が変化することを考慮して、噴射ポンプ停止温度記憶手段５に記憶されている水が微凍結となり噴射ポンプに詰まる状態時の温度と、噴射ポンプ動作温度記憶手段６に記憶されている製氷部に水を噴射しても確実に着氷できる状態時の温度を補正することにより、低外気温時、水温度が低く、早く微凍結となることを考慮して、噴射ポンプ停止温度記憶手段５に記憶されている温度を高目の温度に補正することで、微凍結になることを防止でき、また高外気温時、水温度が上昇しやすく、製氷部に噴射しても着氷しにくいので、噴射ポンプ動作温度記憶手段６に記憶されている温度を低めの温度に補正することで、製氷部が十分に冷却される期間を増やし、製氷部に水温度の高い水を噴射しても着氷できるようにすることができる。
【００５２】
（実施の形態４）
図８は、本発明の実施の形態４による製氷機の制御装置の機能ブロック図である。図９は、同実施の形態の動作を示すフローチャートである。
【００５３】
図８において、１２は補正データ記憶手段１０の補正データを変更する補正データ設定手段、７ｄは補正データ設定手段１２にて入力された補正データを補正データ記憶手段１０に記憶する演算制御部である。
【００５４】
本実施の形態は、実施の形態３による製氷機の制御装置にさらに、補正データ設定手段１２を設けたものである。
【００５５】
以上のように構成された製氷機の制御装置について、以下その動作を図９のフローチャートをもとにして説明する。また、実施の形態３による製氷機の制御装置の演算制御部７ｃと同じ動作に関しては説明を省略する。
【００５６】
まず、ＳＴＥＰ２８では演算制御部７ｄは、補正データ設定手段１２にて補正データの入力があるか否かを判定し、入力がある場合、ＳＴＥＰ２９を実行し、それ以外はＳＴＥＰ３０を行なう。ＳＴＥＰ２９では補正データ設定手段１２にて入力された補正データを、補正データ記憶手段１０に記憶する。
【００５７】
ＳＴＥＰ３０からＳＴＥＰ４０の動作は実施の形態３のＳＴＥＰ１７からＳＴＥＰ２７と同様である。
【００５８】
以上のように本実施の形態の製氷機の制御装置は、補正データ記憶手段１０の補正データを変更する補正データ設定手段１２を備え、演算制御部７ｄは、補正データ設定手段１２にて入力された補正データを補正データ記憶手段１０に記憶することにより、外気温により噴射ポンプの停止と動作を判定する温度データを補正しても、設置先の特殊環境により、水が微凍結したり、着氷しにくくなる状態が発生してしまう場合、さらに補正データを任意に変更することにより、設置先の環境にあわせて噴射ポンプ停止温度記憶手段５に記憶されている、水が微凍結となり噴射ポンプに詰まる状態時の温度と噴射ポンプ動作温度記憶手段６に記憶されている、製氷部に水を噴射しても確実に着氷できる状態時の温度を補正することができ、さらなる水が微凍結したり、着氷しにくくなることを防止することができる。
【００５９】
（実施の形態５）
図１０は、本発明の実施の形態５による製氷機の制御装置の機能ブロック図である。図１１は、同実施の形態の動作を示すフローチャートである。
【００６０】
図１０において、１は冷却装置を制御する冷却装置制御手段、１３は製氷用水タンク内の水温度を検知する水温度検知手段、３は製氷用水タンクの水切れを検知する水切れ検知手段、４は噴射ポンプを制御する噴射ポンプ制御手段、７ｅは冷却装置制御手段１にて製氷部の冷却を開始し、噴射ポンプ制御手段４にて噴射ポンプを動作し、その後、水温度検知手段１３にて検知される温度が０℃に達した場合、噴射ポンプ制御手段４にて噴射ポンプを一時停止し、水切れ検知手段３にて水切れを検知した場合、冷却装置制御手段１にて製氷部の冷却を停止し、噴射ポンプ制御手段４にて噴射ポンプを停止する演算制御部である。
【００６１】
以上のように構成された製氷機の制御装置について、以下その動作を図１１のフローチャートをもとにして説明する。
【００６２】
まず、ＳＴＥＰ４１では演算制御部７ｅは、冷却装置制御手段１にて冷却装置を動作し、製氷部を冷却する。また噴射ポンプ制御手段４にて噴射ポンプを動作し、冷却装置制御手段１にて冷却されている製氷部に水を噴射する。ＳＴＥＰ４２では水温度検知手段１３にて、水温度が０℃に達したか否かを判定し、達した場合、水が微凍結状態になると判断しＳＴＥＰ４３を実行し、それ以外は水が微凍結状態でないとして、噴射ポンプの動作（ＳＴＥＰ４４）を実行する。
【００６３】
ＳＴＥＰ４３では噴射ポンプ制御手段４にて噴射ポンプを停止し、製氷部に水を噴射しないことで、水の微凍結の生成を防止する。またＳＴＥＰ４４では噴射ポンプ制御手段４にて噴射ポンプを動作し、水を噴射することで、製氷を行なう。
【００６４】
ＳＴＥＰ４５では水切れ検知手段３にて製氷用水切れか否かを判定し、水切れの場合、製氷が終了したと判断しＳＴＥＰ４６を実行し、それ以外は製氷が終了していないとして、ＳＴＥＰ４２を実行する。ＳＴＥＰ４６では冷却装置制御手段１にて冷却装置を停止する。また噴射ポンプ制御手段４にて噴射ポンプを停止する。
【００６５】
以上のように本実施の形態の製氷機の制御装置は、冷却装置を制御する冷却装置制御手段１と、製氷用水タンク内の水温度を検知する水温度検知手段１３と、製氷用水タンクの水切れを検知する水切れ検知手段３と、噴射ポンプを制御する噴射ポンプ制御手段４と、冷却装置制御手段１と水温度検知手段１３と水切れ検知手段３と噴射ポンプ制御手段４に接続された演算制御部７ｅとからなり、演算制御部７ｅは、冷却装置制御手段１にて製氷部の冷却を開始し、噴射ポンプ制御手段４にて噴射ポンプを動作し、その後、水温度検知手段１３にて検知される温度が０℃に達した場合、噴射ポンプ制御手段４にて噴射ポンプを一時停止し、水切れ検知手段３にて水切れを検知した場合、冷却装置制御手段１にて製氷部の冷却を停止し、噴射ポンプ制御手段４にて噴射ポンプを停止することにより、噴射ポンプの一時停止を、水温度にて判断することにより、水の微凍結を正しく把握でき、より確実な噴射ポンプ詰まりを防止することができる。
【００６６】
（実施の形態６）
図１２は、本発明の実施の形態６による製氷機の制御装置の機能ブロック図である。図１３は、同実施の形態の動作を示すフローチャートである。
【００６７】
図１２において、１４は噴射ポンプの停止時間をカウントする停止時間タイマー、７ｆは水温度検知手段１３にて検知される温度が０℃に達した場合、噴射ポンプ制御手段４にて噴射ポンプを停止時間タイマー１３にてカウントされる停止時間が経過するまで停止する演算制御部である。
【００６８】
本実施の形態は、実施の形態５による製氷機の制御装置にさらに、停止時間タイマー１４を設けたものである。
【００６９】
以上のように構成された製氷機の制御装置について、以下その動作を図１３のフローチャートをもとにして説明する。また、実施の形態５による製氷機の制御装置の演算制御部７ｅと同じ動作に関しては説明を省略する。
【００７０】
まず、演算制御部７ｆによるＳＴＥＰ４７からＳＴＥＰ４８までの動作は実施の形態５のＳＴＥＰ４１からＳＴＥＰ４２と同様である。
【００７１】
ＳＴＥＰ４９では噴射ポンプ制御手段４にて噴射ポンプを停止し、製氷部に水を噴射しないことで、水の微凍結を防止し、ＳＴＥＰ５０を実行する。ＳＴＥＰ５０では停止時間タイマー１４にて停止時間が経過したか否かを判定し、経過した場合、ＳＴＥＰ４８を実行し、それ以外は停止時間が経過するまで、現状を維持する。
【００７２】
ＳＴＥＰ５１からＳＴＥＰ５３まで動作は実施の形態５のＳＴＥＰ４４からＳＴＥＰ４６と同様である。
【００７３】
以上のように本実施の形態の製氷機の制御装置は、噴射ポンプの停止時間をカウントする停止時間タイマー１４を備え、演算制御部７ｆは、水温度検知手段１３にて検知される温度が０℃に達した場合、噴射ポンプ制御手段４にて噴射ポンプを停止時間タイマー１４にてカウントされる停止時間が経過するまで停止することにより、水を噴射することを一定時間は停止することで水の微凍結を防止し、かつ停止時間が経過するまでは製氷部に水を噴射しないことで製氷部の負荷を低減させ、製氷部を十分に冷却にし、その後、製氷部に水を噴射することで確実に水を着氷させることで、水の微凍結を防止することができる。
【００７４】
（実施の形態７）
図１４は、本発明の実施の形態７による製氷機の制御装置の機能ブロック図である。図１５は、同実施の形態の動作を示すフローチャートである。
【００７５】
図１４において、１５は製氷部に水を噴射したら着氷しにくくなる水温度を記憶している水温度記憶手段、７ｇは水温度検知手段１３にて検知される温度が水温度記憶手段１５に記憶されている温度に達した場合、噴射ポンプ制御手段４にて噴射ポンプを動作する演算制御部である。
【００７６】
本実施の形態は、実施の形態５による製氷機の制御装置にさらに、水温度記憶手段１５を設けたものである。
【００７７】
以上のように構成された製氷機の制御装置について、以下その動作を図１５のフローチャートをもとにして説明する。また、実施の形態５による製氷機の制御装置の演算制御部７ｅと同じ動作に関しては説明を省略する。
【００７８】
まず、演算制御部７ｇによるＳＴＥＰ５４からＳＴＥＰ５５までの動作は実施の形態５のＳＴＥＰ４１からＳＴＥＰ４２と同様である。
【００７９】
ＳＴＥＰ５６では噴射ポンプ制御手段４にて噴射ポンプを停止し、製氷部に水を噴射しないことで、水の微凍結を防止し、ＳＴＥＰ５７を実行する。ＳＴＥＰ５７では水温度検知手段１３にて水温度が水温度記憶手段１５に記憶している温度に達したか否かを判定し、達した場合、製氷部に水を噴射したら着氷しにくくなる水温度になったと判断しＳＴＥＰ５５を実行し、それ以外は水が微凍結状態になるとして、噴射ポンプを停止した状態を維持する。
【００８０】
ＳＴＥＰ５８からＳＴＥＰ６０までの動作は実施の形態５のＳＴＥＰ４４からＳＴＥＰ４６と同様である。
【００８１】
以上のように本実施の形態の製氷機の制御装置は、製氷部に水を噴射したら着氷しにくくなる水温度を記憶している水温度記憶手段１５を備え、演算制御部７ｇは、水温度検知手段１３にて検知される温度が水温度記憶手段１５に記憶されている温度に達した場合、噴射ポンプ制御手段４にて噴射ポンプを動作することにより、製氷部に噴射しても着氷しにくくなる温度まで水温が上昇するまでに、製氷部に水を噴射することで確実に水を着氷させることで、水の微凍結を防止することができる。
【００８２】
【発明の効果】
以上説明したように請求項１に記載の発明は、冷却装置により冷却される製氷部に噴射ポンプからの水を噴射して製氷を行わせる製氷機において、前記冷却装置の動作中に前記噴射ポンプを動作させることにより水を噴射して製氷を開始し、その後水の微凍結温度に至ると前記噴射ポンプを停止し、その後水の微凍結温度を通過して確実に着氷できる温度に至ると再び前記噴射ポンプを動作させて水を噴射し製氷を完了させる製氷機の制御方法であり、噴射ポンプに微凍結水の詰まりがない確実な製氷を行なうことができる。
【００８３】
また、請求項２に記載の発明は、冷却装置制御手段にて製氷部の冷却を開始し、噴射ポンプ制御手段にて噴射ポンプを動作し、その後、製氷部温度検知手段にて検知される温度が噴射ポンプ停止温度記憶手段に記憶されている温度に達した場合、噴射ポンプ制御手段にて噴射ポンプを停止し、その後、製氷部温度検知手段にて検知される温度が噴射ポンプ動作温度記憶手段に記憶されている温度に達した場合、製氷終了まで記噴射ポンプ制御手段にて噴射ポンプを動作することにより、製氷部温度が、噴射ポンプ停止温度記憶手段に記憶されている、水が微凍結となり噴射ポンプに詰まる状態時の温度に達した場合、水を噴射することを一時停止することで水の微凍結を防止し、かつ製氷部に水を噴射しないことで製氷部の負荷を低減させ、製氷部を十分に冷却し、製氷部温度が、噴射ポンプ動作温度記憶手段に記憶されている、製氷部に水を噴射しても確実に着氷できる状態時の温度に達した場合、製氷部に水を噴射することで確実に水を着氷させることで、水の微凍結を防止することができる。
【００８４】
また、請求項３に記載の発明は、請求項２に記載の発明に加えて、噴射ポンプの間欠時間をカウントする間欠時間タイマーを備えることにより、噴射ポンプ停止温度記憶手段に記憶されている、水が微凍結となり噴射ポンプに詰まる状態時の温度に達した場合、製氷部の冷却能力に応じた水量を間欠的に噴射することで、水の微凍結を防止し、かつ製氷部に水を間欠的に噴射することで、水を定期的に冷却することができ、周辺装置の熱影響により、水温が上昇することを防止することができる。
【００８５】
また、請求項４に記載の発明は、請求項２または３に記載の発明に加えて、外気温度を検知する外気温度検知手段と、各外気温度別に噴射ポンプ停止温度記憶手段と噴射ポンプ動作温度記憶手段に記憶されている温度データを変更する補正データを記憶している補正データ記憶手段と、外気温検知手段にて検知される温度に該当する補正データ記憶手段の補正データにて噴射ポンプ停止温度記憶手段と噴射ポンプ動作温度記憶手段に記憶されている温度データを補正する演算手段を備えることにより、噴射ポンプ停止温度記憶手段に記憶されている温度を演算手段にて補正して、噴射ポンプ停止温度記憶手段に記憶し、噴射ポンプ動作温度記憶手段に記憶されている温度を演算手段にて補正して、噴射ポンプ動作温度記憶手段に記憶することにより、外気温により水温度と製氷部温度が変化することを考慮して、噴射ポンプ停止温度記憶手段に記憶されている、水が微凍結となり噴射ポンプに詰まる状態時の温度と噴射ポンプ動作温度記憶手段に記憶されている、製氷部に水を噴射しても確実に着氷できる状態時の温度を補正することにより、低外気温時、水温度が低く、早く微凍結となることを考慮して、噴射ポンプ停止温度記憶手段に記憶されている温度を高目の温度に補正することで、微凍結になることを防止でき、また高外気温時、水温度が上昇しやすく、製氷部に噴射しても着氷しにくいので、噴射ポンプ動作温度記憶手段に記憶されている温度を低めの温度に補正することで、製氷部が十分に冷却される期間を増やし、製氷部に水温度の高い水を噴射しても着氷できるようにするができる。
【００８６】
また、請求項５に記載の発明は、請求項４に記載の発明に加えて、補正データ記憶手段の補正データを変更する補正データ設定手段を備えることにより、外気温により噴射ポンプの停止と動作を判定する温度データを補正しても、設置先の特殊環境により、水が微凍結したり、着氷しにくくなる状態が発生してしまう場合、さらに補正データを任意に変更することにより、設置先の環境にあわせて噴射ポンプ停止温度記憶手段に記憶されている、水が微凍結となり噴射ポンプに詰まる状態時の温度と噴射ポンプ動作温度記憶手段に記憶されている、製氷部に水を噴射しても確実に着氷できる状態時の温度を補正することができ、さらなる水が微凍結したり、着氷しにくくなることを防止することができる。
【００８７】
また、請求項６に記載の発明は、冷却装置制御手段にて製氷部の冷却を開始し、噴射ポンプ制御手段にて噴射ポンプを動作し、その後、製氷終了まで水温度検知手段にて検知される温度が０℃に達した場合、噴射ポンプ制御手段にて噴射ポンプを一時停止することにより、噴射ポンプの一時停止を、水温度にて判断することにより、水の微凍結を正しく把握でき、より確実な噴射ポンプ詰まりを防止することができる。
【００８８】
また、請求項７に記載の発明は、請求項６に記載の発明に加えて、噴射ポンプの停止時間をカウントする停止時間タイマーを備えることにより、水を噴射することを一定時間は停止することで水の微凍結を防止し、かつ停止時間が経過するまでは製氷部に水を噴射しないことで製氷部の負荷を低減させ、製氷部を十分に冷却し、その後、製氷部に水を噴射することで確実に水を着氷させることで、水の微凍結を防止することができる。
【００８９】
また、請求項８に記載の発明は、請求項６に記載の発明に加えて、製氷部に水を噴射したら着氷しにくくなる水温度を記憶している水温度記憶手段を備えることにより、製氷部に噴射しても着氷しにくくなる温度まで水温が上昇するまでに、製氷部に水を噴射することで確実に水を着氷させることで、水の微凍結を防止することができる。
【図面の簡単な説明】
【図１】本発明による製氷機の制御装置の実施の形態１のブロック図
【図２】同実施の形態の製氷機の制御装置の動作を示すフローチャート
【図３】同実施の形態の製氷部温度の変遷図
【図４】本発明による製氷機の制御装置の実施の形態２のブロック図
【図５】同実施の形態の製氷機の制御装置の動作を示すフローチャート
【図６】本発明による製氷機の制御装置の実施の形態３のブロック図
【図７】同実施の形態の製氷機の制御装置の動作を示すフローチャート
【図８】本発明による製氷機の制御装置の実施の形態４のブロック図
【図９】同実施の形態の製氷機の制御装置の動作を示すフローチャート
【図１０】本発明による製氷機の制御装置の実施の形態５のブロック図
【図１１】同実施の形態の製氷機の制御装置の動作を示すフローチャート
【図１２】本発明による製氷機の制御装置の実施の形態６のブロック図
【図１３】同実施の形態の製氷機の制御装置の動作を示すフローチャート
【図１４】本発明による製氷機の制御装置の実施の形態７のブロック図
【図１５】同実施の形態の製氷機の制御装置の動作を示すフローチャート
【図１６】従来の製氷機の制御装置の機能ブロック図
【図１７】従来の製氷機の制御装置の動作を示すフローチャート
【符号の説明】
１　　冷却装置制御手段
２　　製氷部温度検知手段
３　　水切れ検知手段
４　　噴射ポンプ制御手段
５　　噴射ポンプ停止温度記憶手段
６　　噴射ポンプ動作温度記憶手段
７ａ，７ｂ，７ｃ，７ｄ，７ｅ，７ｆ，７ｇ　演算制御部
８　　間欠時間タイマー
９　　外気温度検知手段
１０　補正データ記憶手段
１１　演算手段
１２　補正データ設定手段
１３　水温度検知手段
１４　停止時間タイマー
１５　水温度記憶手段
【図１】
2004012089.tif 000003
【図２】
2004012089.tif 000004
【図３】
2004012089.tif 000005
【図４】
2004012089.tif 000006
【図５】
2004012089.tif 000007
【図６】
2004012089.tif 000008
【図７】
2004012089.tif 000009
【図８】
2004012089.tif 000010
【図９】
2004012089.tif 000011
【図１０】
2004012089.tif 000012
【図１１】
2004012089.tif 000013
【図１２】
2004012089.tif 000014
【図１３】
2004012089.tif 000015
【図１４】
2004012089.tif 000016
【図１５】
2004012089.tif 000017
【図１６】
2004012089.tif 000018
【図１７】
2004012089.tif 000019